(57)【要約】      （修正有）【課題】自転車等に乗った人が向い風に飛ばされず日射に晒されることなく安全走行可能とし、また日除けが不要のとき、頭巾部分を折畳み襟として使用した日除けポンチョの技術を提供する。【解決手段】日除け用ポンチョ１０は、その上部に正面形状が略三角形の袋状でなる日除け頭巾１１と、該日除け頭巾１１の下方に比較的硬質の布で縫合形成した裾部１２を備え、該裾部１２内には布等でなる調整紐１３を挿通して配置する。この調整紐１３は左・右に引張ることにより着用する人の首廻りの太さや径に合わせる。日除け頭巾１１は内部が空間を形成し、日除け頭巾１１の下部に備えられた日除け用ポンチョ本体１４の左・右縁にリング状の係止紐を結んでいる。日除け用ポンチョ１０を着用した人が自転車に乗ったとき自転車のハンドルを把持する際、着用する人それぞれの左・右指間に係止紐を差込む。【選択図】図２
0003147131.tif 000002
【実用新案登録請求の範囲】
【請求項１】
着衣としてのポンチョ本体と、該ポンチョ本体の上部に備えた正面形状が三角形状の日除け頭巾とでなるポンチョに於いて、前記日除け頭巾の裾部を比較的硬質の布で縫合形成すると共にかつ調整紐を備えた該裾部にポンチョ本体の上縁部内側に固定した一方の止め具と係合する他方の止め具を固定し、かつ前記ポンチョ本体の左・右下縁のそれぞれに係止紐を備えたことを特徴とする日除け用ポンチョ。
【考案の詳細な説明】
【技術分野】
【０００１】
本考案は、自転車等に乗った人が向い風に飛ばされず日射に晒されることなく安全走行可能とし、また日除けが不要のとき、頭巾部分を折畳み襟として使用した日除けポンチョに関する。
【背景技術】
【０００２】
この種、従来の技術に於ける例としては、図４に示す特開２００４−２２５１７４公開特許公報に開示された技術がある。これについて説明すれば、レインコート１には頭部全体を覆う下方へ広がったフード部２が備えられている。このフード部２の下部には、縦長の胴部３が繋がっている。前記胴部３の左右には一対の腕部４が繋がっている。この腕部４の先端にはそれぞれ手部５が備えられている。この手部５にはさらに指部６が備えられている。また、胴部３の下部には、下方に一対の脚部７が繋がっている。この脚部７の下端部には、縦長の足部８が備えられている。これらにより上着部とズボン部が一体的に形成された袋状のワンピース構造となっている。レインコート１には、フード部２の顔面に対応する部分にのみ開口部９が形成されると共に、この周縁部には開口部９の大小を調節するための調節手段が設けられている。開口部９を絞った状態（レインコート１の使用時）の該開口部９は図４に示すように、略顔面の周縁に密着させた状態となっている。
【特許文献１】特開２００４−２２５１７４公開特許公報
【考案の開示】
【考案が解決しようとする課題】
【０００３】
従来の技術は、叙上の構成であるので次の課題が存在した。
すなわち、図４に示す従来技術に於いては、レインコート１であり雨天時に着用するもので、レインコート１を着用したまま自転車等の乗り物に乗る場合、運行がスムーズではなく、日除けには不適切であった。レインコート１は重量が一般のスカーフやポンチョと比較して重く晴天時に手軽に着用することができないという問題点があった。またフード２部分を折畳み襟として使用することができないという問題点があった。本考案はこの問題点を解決することを目的としたものである。
【課題を解決するための手段】
【０００４】
本考案に係る日除け用ポンチョは上述した問題点を解決すべく、次の構成、手段から成立する。
【０００５】
すなわち、請求項１記載の考案によれば、着衣としてのポンチョ本体と、該ポンチョ本体の上部に備えた正面形状が三角形状の日除け頭巾とでなるポンチョに於いて、前記日除け頭巾の裾部を比較的硬質の布で縫合形成すると共にかつ調整紐を備えた該裾部にポンチョ本体の上縁内側部に固定した一方の止め具と係合する他方の止め具を固定し、かつ前記ポンチョ本体の左・右下縁のそれぞれに係止紐を備えたことを特徴とする。
【考案の効果】
【０００６】
本考案に係る日除け用ポンチョは、叙上の構成を有するので次の効果がある。
【０００７】
請求項１記載の考案によれば、着衣としてのポンチョ本体と、該ポンチョ本体の上部に備えた正面形状が三角形状の日除け頭巾とでなるポンチョに於いて、前記日除け頭巾の裾部を比較的硬質の布で縫合形成すると共にかつ調整紐を備えた該裾部にポンチョ本体の上縁内側部に固定した一方の止め具と係合する他方の止め具を固定し、かつ前記ポンチョ本体の左・右下縁のそれぞれに係止紐を備えたことを特徴とする日除け用ポンチョを提供する。
このような構成としたので、日よけ用ポンチョに係止用紐を備えたので着用した人が自転車等の乗り物で向かい風でポンチョを飛ばされることなく快適に走行することができる。また、頭巾を折畳み襟として使用でき日除けの不要の際にも着用できる。更に調整紐を備えたので襟部分の寸法を自由に調整することができるという種々の効果がある。
【考案を実施するための最良の形態】
【０００８】
以下、本考案に係る日除け用ポンチョにおける実施の形態について図１ないし図３に基づき詳細に説明する。
【０００９】
１０は本考案に係る日除け用ポンチョであり、その上部に正面形状が略三角形の袋状でなる日除け頭巾１１と、該日除け頭巾１１の下方に比較的硬質の布で縫合形成した裾部１２を備えている。該裾部１２内には布等でなる調整紐１３を挿通して配置する。この調整紐１３は左・右に引張ることにより着用する人の首廻りの太さや径に合わせて調整する。
【００１０】
日除け頭巾１１には図１（ｂ）に示すように、内部が空間Ｓを形成すると共にフレキシブルに比較的やわらかい布等で構成し全体を平面体に表面部１１ａと裏面部１１ｂを重合わせることができる。１４は日除け頭巾１１の下部に備えられた日除け用ポンチョ本体であり、１枚または複数枚の布や比較的やわらかい性質を有する各種の繊維材料その他の材料で構成し、かつ着用する人の背中全体を被覆するような広さを備えている。そして該日除け用ポンチョ本体１４の左・右縁に係止紐１５、１５を結んでいる。この係止紐１５、１５は例えば布や樹脂材料等で糸状態を形成し、図１（ａ）に示すようにリング状に形成している。日除け用ポンチョ１０を着用した人が図３に示すように自転車１６に乗ったとき自転車のハンドル１７を把持する際、着用する人それぞれの左・右指１８、１８間に係止紐１５、１５を差込む。そして、自転車１６を走行した場合、向かい風１９が前方から吹き込むがこの日除け用ポンチョ１０や日除け用ポンチョ本体１４が着用する人から離脱して飛出すことはない。
【００１１】
また、日除け用ポンチョ１０を着用する人がその日除け頭巾１１を襟として使用するときは、該日除け頭巾１１の先端部１１ａから巻き込みかつ折畳みその襟部を太い巻物状に図２（ｂ）に示すように形成する。そして、日除け用ポンチョ本体１４の上縁部内側に他方のホック等止め具２０、２０を単一または複数個を固定する。日除け頭巾１１を折畳んだ際この他方の止め具２０、２０と係合する一方のホック等止め具２１、２１を日除け頭巾１１を巻込んで形成した裾部１１ａに備える。この一方の止め具２１、２１は単一または複数個を固定してある。
【図面の簡単な説明】
【００１２】
【図１】本考案に係る日除け用ポンチョに於ける実施の形態を示す図面であって、（ａ）は正面図、（ｂ）は（ａ）の矢視Ａ−Ａ線方向の断面図である。
【図２】本考案に係る日除け用ポンチョに於ける実施の形態を示すものであって、着用した状態を示しており、（ａ）は日除けの場合の正面図、（ｂ）は日除けの必要がない場合の正面図である。
【図３】本考案に係る日除け用ポンチョを着用して自転車にい乗った際の状態を示す側面図である。
【図４】従来の技術に於けるレインコートの着用を示す正面図である。
【符号の説明】
【００１３】
１０      日除け用ポンチョ
１１      日除け頭巾
１１ａ    日除け頭巾の表面部
１１ｂ    日除け頭巾の裏面部
１１Ａ    日除け頭巾の裾部
１２      裾部
１３      調整紐
１４      日除け用ポンチョ本体
１５      係止紐
１６      自転車
１７      自転車のハンドル
１８      着用した人の指
１９      向かい風
２０      止め具
２１      止め具
【図１】
0003147131.tif 000003
【図２】
0003147131.tif 000004
【図３】
0003147131.tif 000005
【図４】
0003147131.tif 000006